(57)【要約】【課題】容易に施工することが可能であり、部材を運搬するときの効率の向上を図ることが可能な、太陽光発電パネルが設置される屋根構造を提供する。【解決手段】１つ又は複数の太陽光発電パネル１０１が設置される屋根構造１００は、ベース材１０４と、複数のパネル支持部材１０５とを備える。ベース材１０４は、隣接する端部近傍が互いに重なり合うように平行に並べられた複数の平板１０７を含む。複数のパネル支持部材１０５は、１つ又は複数の太陽光発電パネル１０１の第１の方向を向く辺部の各々を支持するための部材であって、第１の方向に延在してベース材上に固定される。【選択図】図１
2017040101.tif 000002
【特許請求の範囲】
【請求項１】
１つ又は複数の太陽光発電パネルが設置される屋根構造であって、
隣接する端部近傍が互いに重なり合うように平行に並べられた複数の平板を含むベース材と、
前記１つ又は複数の太陽光発電パネルの第１の方向を向く辺部の各々を支持するための部材であって、前記第１の方向に延在して前記ベース材上に固定された複数のパネル支持部材とを備える
ことを特徴とする屋根構造。
【請求項２】
前記複数の平板の各々は、ロールされた金属板から当該金属板を一方向へ展開することで設けられた
ことを特徴とする請求項１に記載の屋根構造。
【請求項３】
前記複数のパネル支持部材は、
両端に位置する一対の係止部材と、
前記一対の係止部材の間に設けられる中間部材を有する
ことを特徴とする請求項１又は２に記載の屋根構造。
【請求項４】
前記複数のパネル支持部材は、前記１つ又は複数の太陽光発電パネルを前記ベース材から離間するように支持する
ことを特徴とする請求項１から３のいずれか１項に記載の屋根構造。
【請求項５】
前記複数のパネル支持部材は、前記複数の太陽光発電パネルが太陽光を受ける受光面を面一に支持するように構成される
ことを特徴とする請求項１から４のいずれか１項に記載の屋根構造。
【請求項６】
前記複数の平板は、前記第１の方向と交差する第２の方向に並べられており、
前記複数の平板の各々は、隣接する他の平板のうちの第２の方向に位置する平板の端部近傍の上に重ねられている
ことを特徴とする請求項１から５のいずれか１項に記載の屋根構造。
【請求項７】
前記ベース材は、屋根上に避難するための開口を有する
ことを特徴とする請求項１から６のいずれか１項に記載の屋根構造。
【請求項８】
１つ又は複数の太陽光発電パネルが設置される屋根を施工するための屋根施工方法であって、
ベース材を設けることと、
前記１つ又は複数の太陽光発電パネルの第１の方向を向く辺部の各々を支持するための複数のパネル支持部材を、当該複数のパネル支持部材の各々の長さ方向を前記第１の方向へ向けて、前記ベース材上に固定することとを含み、
前記ベース材を設けることは、隣接する端部近傍が互いに重なり合うように複数の平板を平行に並べることを含む
ことを特徴とする屋根施工方法。
【発明の詳細な説明】
【技術分野】
【０００１】
本発明は、屋根構造及びその施工方法に関し、特に、太陽光発電パネルが設置される屋根の構造及びその施工方法に関する。
【背景技術】
【０００２】
１つ又は複数の太陽光発電パネルが設置される屋根構造が種々提案されている。例えば、特許文献１に記載の太陽光発電システムでは、太陽電池モジュール設置用支持体を有する金属屋根材が屋根上に複数設置され、この金属屋根上に太陽電池モジュール及びダミーモジュールが金属屋根全体を覆うように載置される。特許文献１に記載の金属屋根材は、プレス成型により形成される突起部を有する。
【先行技術文献】
【特許文献】
【０００３】
【特許文献１】特開２００６−２７４５５１号公報
【発明の概要】
【発明が解決しようとする課題】
【０００４】
特許文献１に記載の金属屋根材には、突起部が設けられるので、施工に手間が掛かる。また、金属屋根材を運搬するとき、特許文献１に記載の金属屋根材を運搬する場合、突起部が設けられていない平板よりも、大きなスペースを占めてしまうので、運搬時の効率が悪くなってしまう。
【０００５】
本発明は、上述の事情を鑑みてなされたものであって、容易に施工することが可能であり、部材を運搬するときの効率の向上を図ることが可能な、太陽光発電パネルが設置される屋根構造及びその施工方法を提供することを目的とする。
【課題を解決するための手段】
【０００６】
上記目的を達成するため、本発明に係る屋根構造は、
１つ又は複数の太陽光発電パネルが設置される屋根構造であって、
隣接する端部近傍が互いに重なり合うように平行に並べられた複数の平板を含むベース材と、
前記１つ又は複数の太陽光発電パネルの第１の方向を向く辺部の各々を支持するための部材であって、前記第１の方向に延在して前記ベース材上に固定された複数のパネル支持部材とを備える。
【発明の効果】
【０００７】
本発明によれば、複数の平板を並べてベース材を設け、その上に、複数のパネル支持部材を固定することで、１つ又は複数の太陽光発電パネルが設置される屋根を施工することができる。そのため、容易に施工することが可能である。また、複数の平板は、ロール状に巻いたり、互いに密着させたりして運搬することができるので、部材を運搬するときの効率の向上を図ることが可能になる。
【図面の簡単な説明】
【０００８】
【図１】本発明の一実施の形態に係る屋根構造の外観を示す斜視図である。
【図２】一実施の形態に係る屋根構造を側方から見た図であって、一部を省略することで拡大した図である。
【図３】一実施の形態に係る係止部材の側面図である。
【図４】一実施の形態に係る中間部材の側面図である。
【図５】一実施の形態に係る屋根構造の施工過程を示す図であって、ベース材を設ける途中の状態を示すものである。
【図６】一実施の形態に係る屋根構造の施工過程を示す図であって、ベース材を設けた状態を示すものである。
【図７】一実施の形態に係る屋根構造の施工過程を示す図であって、端部支持部材と中間支持部材とを設置した状態を示すものである。
【図８】一実施の形態に係る屋根構造の施工過程を示す図であって、太陽光発電パネルを取り付けつつ、パネル支持部材を設置する過程を示すものである。
【図９】一実施の形態に係る屋根構造が完成するとともに、当該屋根構造に太陽光発電パネルが取り付けられた状態を示す図である。
【発明を実施するための形態】
【０００９】
以下、本発明の一実施の形態について、図面を参照しつつ説明する。全図を通じて同一の要素には同一の符号を付す。
【００１０】
本発明の一実施の形態に係る屋根構造１００は、一般的な家屋の屋根の一部又は前部に採用される構造であって、外観斜視図である図１に示すように、５行３列のマトリクス状に概ね矩形の太陽光発電パネル１０１が設置されるものである。図１では、寄棟屋根が有する４面のうちの１つに本実施の形態に係る屋根構造１００が採用される例を示す。
【００１１】
屋根構造１００は、図１及び側面図である図２に示すように、概ね、棟木１０２から軒へ向かって延在する垂木１０３の上に設けられるベース材１０４と、ベース材１０４の上に固定された１８個（すなわち、６行３列）のパネル支持部材１０５とを備える。
【００１２】
ここで、本実施の形態では、棟木１０２から軒へ向かう方向を前方とし、その逆を後方とする。また、棟木１０２が延びる方向を左右とし、右方と左方とは、それぞれ、棟木１０２を前方から見た場合の右と左とに従うものとする。さらに、太陽光発電パネル１０１が太陽光を受ける受光面が向く方向を上方とし、その逆を下方とする。これらの左、右、前、後、上、下などの方向を示す用語は、説明のために用いるのであって、本発明を限定する趣旨ではない。例えば、前方は、第１の方向としての左方に交差する第２方向の一例である。
【００１３】
ベース材１０４は、垂木１０３の上に設けられる野地板１０６と、野地板１０６の上に設けられる６枚の平板１０７とが層状に重ねられており、上方から見て一部に、例えば災害時に住人が屋根上に避難するための開口１０８が設けられている。
【００１４】
野地板１０６は、例えば、木製である。なお、ベース材１０４を構成する部材は、適宜変更されてもよく、例えば、野地板１０６と複数の平板１０７との間に、又は、野地板１０６に代えて、アスファルトフェルト層が設けられてもよい。
【００１５】
平板１０７の各々は、長さ方向が左方を向くように平行に並べられた細長い平板であり、例えば、ロールされた金属板からこの金属板を左方又は右方へ展開することで設けられたものである。
【００１６】
なお、平板１０７の数は、６枚に限られず、複数であればよい。また、平板１０７の各々の材料は、適宜変更されてもよい。さらに、また、平板１０７の各々は、ロールされたものから展開して設けられなくてもよい。
【００１７】
６枚の平板１０７は、前後に隣接する端部近傍が互いに重なり合うように、前後に並べられている。詳細には、最も前方に配置されるものを除く５枚の平板１０７の各々の前端部近傍は、前後に隣接する平板１０７のうちの前方に隣接して位置する平板１０７の後端部近傍の上に重ねられている。隣接する平板１０７が重なり合う部分は、例えば接着剤で互いに固定され、この接着剤には、湿気を吸うことで硬化する性質を有するものが好適に採用される。
【００１８】
１８個のパネル支持部材１０５の各々は、図１に示すように、左右に延在する細長い部材である。前後に隣接する２つのパネル支持部材１０５によって、１枚の太陽光発電パネル１０１が支持される。詳細には、前後に隣接する２つのパネル支持部材１０５のうちの前方に位置するパネル支持部材１０５が、１つの太陽光発電パネル１０１の前辺部を支持し、前後に隣接する２つのパネル支持部材１０５のうちの後方に位置するパネル支持部材１０５が、当該太陽光発電パネル１０１の後辺部を支持する。ここで、太陽光発電パネル１０１の前辺部及び後辺部は、左方を向く辺部の例である。
【００１９】
詳細には、本実施の形態に係る１８個のパネル支持部材１０５は、前後に並ぶ６個のパネル支持部材１０５を１組として、左右に並ぶ３組のパネル支持部材１０５から構成されている。各組を構成するパネル支持部材１０５の各々は、同様の構成を有する。
【００２０】
すなわち、１組のパネル支持部材１０５は、前後の両端に位置する一対の係止部材１０９と、一対の係止部材の間に設けられる４つの中間部材１１０とを有する。一対の係止部材１０９の各々は、太陽光発電パネル１０１の１つの辺部（前辺部又は後辺部）を支持する。中間部材１１０の各々は、中間部材１１０の前方部分と後方部分のそれぞれで太陽光発電パネル１０１の後辺部及び前辺部、すなわち、太陽光発電パネル１０１の２つの辺部（前辺部及び後辺部）を支持する。
【００２１】
詳細には、前端に位置する係止部材１０９は、概ね同一の形状で左右に延びており、図２及び拡大側面図である図３に示すように、平板１０７の上に固定され、１５枚の太陽光パネル１０１全体の最も前方に位置する端部及び最も後方に位置する端部を支持する端部支持部材１１１と、端部支持部材１１１とともに太陽光発電パネル１０１の前辺部を上下に挟んで保持する端部係止部材１１２と、端部支持部材１１１と端部係止部材１１２とを締結するための部材であって、例えばボルト及びナットなどの第１締結具１１３とを有する。
【００２２】
端部支持部材１１１は、図３に示すように、前後に並んで設けられ、各々の左右に長い下面部が平板１０７に固定される第１固定プレート部１１４，１１５と、第１固定プレート部１１４，１１５の各々の前端に下端が接続して同じ長さで上方へ延びる第１離間部１１６，１１７と、第１離間部１１６，１１７の各々の上端を接続する第１支持部１１８とを有する。
【００２３】
第１固定プレート部１１４，１１５は、例えば接着剤により平板１０７に固定される。なお、平板１０７の材料が磁性体である場合、第１固定プレート部１１４，１１５は、磁石によって平板１０７に固定されてもよく、このとき例えば、磁石は、第１固定プレート部１１４，１１５の下面部に埋設されるとよい。
【００２４】
第１支持部１１８は、前後左右に延びる上面を有し、この上面の一部が太陽光発電パネル１０１の前辺部近傍の下面に当接することで、太陽光発電パネル１０１の前辺部を支持する。第１離間部１１６，１１７が設けられるため、第１支持部１１８は、平板１０７との間を離間させて太陽光発電パネル１０１を支持することができる。
【００２５】
また、本実施の形態では、第１支持部１１８は、太陽光発電パネル１０１が当接する部分の前方に、第１締結具１１３を構成するボルトを挿設するための貫通孔が左右に並んで２つ設けられている（図７参照）。
【００２６】
端部係止部材１１２は、左右に延びる平板状の第１挟持部１１９と、第１挟持部１１９の前方下方にて左右に延びる平板上の第１締結部１２０と、第１挟持部１１９の前端部及び第１締結部１２０の後端部を上下の段差を設けて接続する第１段差部１２１とを有する。
【００２７】
第１挟持部１１９は、前後左右に延びる下面を有し、この下面が太陽光発電パネル１０１の前辺部近傍の上面に当接することで、太陽光発電パネル１０１の前辺部を第１支持部１１８とともに挟持する。また、第１段差部１２１は、太陽光発電パネル１０１の前辺部の一部と当接することで、太陽光発電パネル１０１の前辺部を支持する。第１締結部１２０は、第１締結具１１３を構成するボルトを挿設するための貫通孔が左右に並んで２つ設けられている。
【００２８】
第１締結具１１３は、例えば、第１支持部１１８及び第１締結部１２０に上下に並ぶように設けられた２組の穴に挿設される２本のボルトと、各ボルトに螺合するナットとから構成される。ボルトを締め付けることで、端部支持部材１１１と端部係止部材１１２とにより、太陽光発電パネル１０１の前辺部近傍を強く挟んで、太陽光発電パネル１０１の前辺部を保持することができる。
【００２９】
後端に位置する係止部材１０９は、前端に位置する係止部材１０９と前後対称な構造を有する。
【００３０】
中間部材１１０の各々は、概ね同一の形状で左右に延びており、図２及び拡大側面図である図４に示すように、平板１０７の上に固定される中間支持部材１２２と、前後に隣接する太陽光発電パネル１０１それぞれの後辺部及び前辺部を中間支持部材１２２とともに上下に挟んで保持する中間係止部材１２３と、中間支持部材１２２と中間係止部材１２３とを締結するための部材であって、例えばボルト及びナットなどの第２締結具１２４とを有する。
【００３１】
中間支持部材１２２は、図４に示すように、前後に並んで設けられ、各々の左右に長い下面部が平板１０７に固定される第２固定プレート部１２５，１２６と、前後それぞれの第２固定プレート部１２５，１２６の後端及び前端に下端が接続して同じ長さで上方へ延びる第２離間部１２７，１２８と、第２離間部１２７，１２８の各々の上端を接続する第２支持部１２９とを有する。
【００３２】
第２固定プレート部１２５，１２６は、例えば接着剤により平板１０７に固定される。なお、平板１０７の材料が磁性体である場合、第２固定プレート部１２５，１２６は、上述の第１固定プレート部１１４，１１５と同様に、磁石によって平板１０７に固定されてもよく、このとき例えば、磁石は、第２固定プレート部１２５，１２６の下面部に埋設されるとよい。
【００３３】
第２離間部１２７，１２８の各々は、上下方向の長さが第１離間部１１６，１１７と等しい。
【００３４】
第２支持部１２９は、前後左右に延びる上面を有し、この上面の前方部分及び後方部分のそれぞれが前後に隣接する太陽光発電パネル１０１の後辺部近傍及び前辺部近傍の下面に当接することで、前後に隣接する太陽光発電パネル１０１の後辺部及び前辺部を支持する。第２離間部１２７，１２８が設けられるため、第２支持部１２９は、平板１０７との間を離間させて太陽光発電パネル１０１を支持することができる。
【００３５】
また、本実施の形態では、第２支持部１２９は、前後に隣接する太陽光発電パネル１０１が当接する部分の間に、第２締結具１２４を構成するボルトを挿設するための貫通孔が左右に並んで２つ設けられている（図７参照）。
【００３６】
中間係止部材１２３は、前後に並んで設けられ、各々が左右に長い平板状の第２挟持部１３０，１３１と、前後に並ぶ第２挟持部１３０，１３１の中間下方にて前後左右に延びる平板上の第２締結部１３２と、前方の第２挟持部１３０の後端部と前方の第２挟持部１３１の前端部とから下方に延びて、それぞれ、第２締結部１３２の前端部と第２締結部１３２の後端部とに接続する第２段差部１３３，１３４とを有する。
【００３７】
第２挟持部１３０，１３１の各々は、前後左右に延びる下面を有する。
【００３８】
前方の第２挟持部１３０の下面は、前後に隣接する太陽光発電パネルのうちの前方の太陽光発電パネル１０１の後辺部近傍の上面に当接する。これによって、前方の第２挟持部１３０は、当該太陽光発電パネル１０１の後辺部を第２支持部１２９とともに挟持する。
【００３９】
また、後方の第２挟持部１３１の下面は、前後に隣接する太陽光発電パネルのうちの後方の太陽光発電パネル１０１の前辺部近傍の上面に当接する。これによって、後方の第２挟持部１３１は、当該太陽光発電パネル１０１の前辺部を第２支持部１２９とともに挟持する。
【００４０】
後方の第２段差部１３４は、太陽光発電パネル１０１の前辺部の一部と当接することで、太陽光発電パネル１０１の前辺部を支持する。第２締結部１３２は、第２締結具１２４を構成するボルトを挿設するための貫通孔が左右に並んで２つ設けられている。
【００４１】
第２締結具１２４は、第１締結具１１３と同様に、例えば、第２支持部１２９及び第２締結部１３２に上下に並ぶように設けられた２組の穴に挿設される２本ボルトと、各ボルトに螺合するナットとから構成される。ボルトを締め付けることで、中間支持部材１２２と中間係止部材１２３とにより、前後に隣接する太陽光発電パネル１０１それぞれの後辺部近傍及び前辺部近傍を強く挟んで、前後に隣接する太陽光発電パネル１０１それぞれの後辺部及び前辺部を保持する。
【００４２】
これまで、本発明の一実施の形態に係る屋根構造１００の構成について説明した。ここから、本実施の形態に係る屋根構造１００の施工方法について説明する。
【００４３】
図５に示すように、開口１０８が設けられた野地板１０６の下端に沿って、１枚目の平板１０７が敷かれる。このとき、好ましくは、平板１０７は、運搬が容易なロールから展開することで野地板１０６の上に敷かれる。この場合、平板１０７は、例えば、屋根の形状及び大きさに合わせて、切断されるとよい。
【００４４】
そして、上方の平板１０７が順に、上述の１枚目の平板１０７と同様に敷かれる。このとき、既に敷かれた平板１０７の上端近傍の上に接着剤が塗布され、新たに敷かれる平板１０７は、既に敷かれた平板１０７の上端近傍の上に、下端近傍が重なるように敷かれる。これにより、図６に示すように、最も前方に配置されるものを除く５枚の平板１０７の各々の前端部近傍が、前方に隣接して位置する平板１０７の後端部近傍の上に重ねて設けられる。また、接着剤により、上下に隣接する平板１０７は固定される。
【００４５】
また、平板１０７を敷く際、野地板１０６の開口１０８を塞がないように、平板１０７は、適宜切断される。本実施の形態では、下から２番目の平板１０７が、開口１０８を塞がないように切断されることで、ベース材の開口１０８が設けられる。これにより、災害時などに住人は、開口１０８を通じて、屋根の上に避難することができる。開口１０８は、通常は、開閉可能な蓋により、雨水などが屋根裏に入り込まないように密閉して塞がれるとよい。
【００４６】
図７に示すように、設置する太陽光発電パネル１０１の枚数及び位置に応じて、端部支持部材１１１と中間支持部材１２２とが、平板１０７の上に固定される。なお、端部支持部材１１１と中間支持部材１２２とが磁石で固定される場合、接着剤などで固定される場合よりも、端部支持部材１１１と中間支持部材１２２とを容易に平板１０７の上に固定することができる。そのため、屋根構造１００の施工を容易にすることが可能になる。
【００４７】
続けて、太陽光発電パネル１０１が下から順に取り付けられる。
【００４８】
詳細には例えば、最も下方に位置する端部支持部材１１１に、端部係止部材１１２が第１締結具１１３により仮止めされ、太陽光発電パネル１０１が、その前端部を第１段差部１２１に当接するように、第１支持部１１８と第１挟持部１１９との間に配置される。その太陽光発電パネル１０１の上端を第２支持部１２９と前方の第２挟持部１３０との間で挟むように、中間係止部材１２３が、第２締結具１２４により中間支持部材１２２に仮止めされる。これによって、１枚の太陽光発電パネル１０１が仮止めされる。図８は、最も下方に位置する太陽光発電パネル１０１のうち、最も右方に位置するものが、仮止めされた状態を示す。
【００４９】
下方に位置する太陽光発電パネル１０１から順にすべての太陽光発電パネル１０１が仮止めされると、適宜工具などと用いて、第１締結具１１３の各々と第２締結具１２４の各々とが締め付けられる。これにより、図９に示すように、太陽光発電パネル１０１の前辺部及び後辺部の各々を支持するためのパネル支持部材１０５が、各々の長さ方向を左方へ向けて、ベース材１０４の上に固定されて、屋根構造１００が完成する。また、同時に、太陽光発電パネル１０１の各々が、屋根構造１００に固定される。
【００５０】
本実施の形態に係る屋根構造１００は、平行に並べられた複数の平板１０７を含むベース材１０４と、太陽光発電パネルを支持するための複数のパネル支持部材とを備え、複数のパネル支持部材１０５は、ベース材１０４の上に固定される。そのため、複数の平板を並べることによってベース材を設け、その上に、複数のパネル支持部材１０５を固定することで、太陽光発電パネル１０１が設置される屋根構造１００を施工することができる。このように、容易に施工することが可能である。また、平板１０７は、ロール状に巻いたり、互いに密着させたりして運搬することができるので、屋根構造１００を施工するための部材を運搬するときの効率の向上を図ることが可能になる。
【００５１】
本実施の形態に係る平板１０７の各々は、ロールされた金属板から当該金属板を左方へ展開することで、長さ方向が左方を向くように設けられる。ロール状にすることで、平板１０７を容易に運搬することができる。従って、屋根構造１００を施工するための部材を運搬するときの効率の向上を図ることが可能になる。なお、ロールされた金属板から当該金属板を左方へ展開することで設けられても、平板１０７の各々は、同様に長さ方向が左方を向くように設けることができる。
【００５２】
本実施の形態に係る複数のパネル支持部材１０５は、上端及び下端に位置する一対の係止部材１０９と、一対の係止部材１０９の間に設けられる中間部材１１０を有する。これにより、複数の太陽光発電パネル１０１を、上下に並べて設置することが可能になる。
【００５３】
本実施の形態に係る係止部材１０９と中間部材１１０とは、それぞれ、第１離間部１１６，１１７と第２離間部１２７，１２８とを有する。これにより、太陽光発電パネル１０１はベース材１０４から離間するように支持され、太陽光発電パネル１０１とベース材１０４との間に隙間を設けることができる。一般的に、太陽光発電パネル１０１は直射日光を受けるので、温度が上昇して、発電効率が低下してしまうことがある。太陽光発電パネル１０１とベース材１０４との間に、隙間を設けることにより、隙間に水を撒くなどして太陽光発電パネル１０１を冷却することができる。従って、太陽光発電パネル１０１の発電効率の向上を図ることが可能になる。
【００５４】
通常、一の屋根構造１００に取り付けられる複数の太陽光発電パネル１０１は、同様の機種であるため、太陽光発電パネル１０１の各々の厚さ（上下方向の長さ）は、等しい。また、本実施の形態に係る第２離間部１２７，１２８の各々は、上下方向の長さが第１離間部１１６，１１７と等しい。そのため、複数のパネル支持部材１０５は、複数の太陽光発電パネル１０１が太陽光を受ける受光面を面一に支持することができる。従って、複数の太陽光発電パネル１０１が屋根構造１００に取り付けられた場合の屋根の意匠性を向上させることが可能になる。
【００５５】
本実施の形態に係る複数の平板１０７は、下方へ並べられており、複数の平板１０７の各々は、下方に隣接する平板１０７の上端部近傍の上に重ねられている。これにより、雨水などが、上下に隣接する平板１０７の間を通過して、平板１０７の下へ浸入することを防ぐことができる。従って、雨水などが、屋根裏に浸入することを防ぐことが可能になる。
【００５６】
また、このような平板１０７の間は、湿気を吸うことで硬化する接着剤で固定されてもよく、これによって、雨水などを屋根裏へより一層浸入し難くすることが可能になる。
【００５７】
本実施の形態に係るベース材１０４は、屋根上に避難するための開口１０８を有する。これにより、災害時などに住人が屋根の上に避難することが容易になる。従って、災害時などにおける住人の安全性の向上を図ることが可能になる。
【００５８】
以上、本発明の一実施の形態について説明したが、本発明は、上述の実施の形態に限られない。
【００５９】
例えば、実施の形態では、１５枚の太陽光発電パネル１０１が設置される例により説明したが、太陽光発電パネル１０１が取り付けられる枚数は、これに限られず、１枚以上であればよい。太陽光発電パネル１０１が１枚の場合、中間部材１１０は不要である。これによっても、実施の形態と同様の効果を奏する。
【００６０】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。
【符号の説明】
【００６１】
１００  屋根構造
１０１  太陽光発電パネル
１０４  ベース材
１０５  パネル支持部材
１０６  野地板
１０７  平板
１０８  開口
１０９  係止部材
１１０  中間部材
１１１  端部支持部材
１１２  端部係止部材
１１３  第１締結具
１２２  中間支持部材
１２３  中間係止部材
１２４  第２締結具
【図１】
2017040101.tif 000003
【図２】
2017040101.tif 000004
【図３】
2017040101.tif 000005
【図４】
2017040101.tif 000006
【図５】
2017040101.tif 000007
【図６】
2017040101.tif 000008
【図７】
2017040101.tif 000009
【図８】
2017040101.tif 000010
【図９】
2017040101.tif 000011